(57)【要約】【課題】従来の種籾コンテナまたは籾袋が不要になり、しかも従来の籾袋単位に比べて多量の種籾を浸漬カゴ１５に入れて温湯消毒作業を行うことができ、消毒処理の省力化並びに連続作業による作業能率の向上などを図る。【解決手段】種籾コンテナとして利用可能な堅型の浸漬カゴ１５に種籾を入れ、温湯槽７に前記浸漬カゴ１５を入れて種籾を温湯消毒することを特徴とする。【選択図】        図２
2005052023.tif 000002
【特許請求の範囲】
【請求項１】
種籾コンテナとして利用可能な堅型の浸漬カゴに種籾を入れ、温湯槽に前記浸漬カゴを入れて種籾を温湯消毒することを特徴とする種籾処理装置。
【請求項２】
浸漬カゴを網製矩形箱によって形成し、種籾を投入及び取出すための開閉部と、吊下げるフックとを、前記浸漬カゴに設けることを特徴とする請求項１に記載の種籾処理装置。
【発明の詳細な説明】
【０００１】
【発明の属する技術分野】
本発明は例えば育苗施設などにおいて発芽させる前の種籾を消毒する種籾処理装置に関する。
【０００２】
【従来の技術】
従来、塩水選した種籾を薬液消毒して催芽させた後、発芽させて育苗箱に播種する技術がある。（例えば特許文献１参照）
【０００３】
【特許文献１】実公平７−１９２０５号公報
【０００４】
【発明が解決しようとする課題】
前記従来技術は、種籾の消毒を農薬を用いて行うから、消毒作業に要する時間が長く、かつ消毒費用を容易に低減し得ない等の問題がある。そこで、種籾の消毒を温湯を用いて行う技術が開発されたが、籾袋単位で温湯消毒を行う必要があり、消毒処理の省力化並びに連続作業による作業能率の向上などを容易に行い得ない等の問題がある。
【０００５】
【課題を解決するための手段】
然るに、本発明は、請求項１の如く、種籾コンテナとして利用可能な堅型の浸漬カゴに種籾を入れ、温湯槽に前記浸漬カゴを入れて種籾を温湯消毒するもので、種籾コンテナとして利用する浸漬カゴを用いて種籾の温湯消毒を行うことにより、従来の種籾コンテナまたは籾袋が不要になり、しかも従来の籾袋単位に比べて多量の種籾を浸漬カゴに入れて温湯消毒作業を行い得、消毒処理の省力化並びに連続作業による作業能率の向上などを容易に図り得るものである。
【０００６】
また、請求項２の如く、浸漬カゴを網製矩形箱によって形成し、種籾を投入及び取出すための開閉部と、吊下げるフックとを、前記浸漬カゴに設けるもので、温湯消毒のときに湯水流によって種籾が移動可能なスペースを容易に確保し得、種籾の均一消毒または１回当りに消毒可能な種籾の増量または温湯消毒の湯水温度の維持などを容易に行い得、消毒処理の省力化並びに連続作業による作業能率の向上などを容易に図り得るものである。
【０００７】
【発明の実施の形態】
以下、本発明の実施例を図面に基づいて詳述する。図１は全体の作業説明図であり、建屋内部の床面に柱１を立設させてれレール２を架設させ、電動走行モータ３を有する自走クレーン４をレール２に設け、電動昇降モータ５によって昇降させるクレーンフック６を自走クレーン４に設けると共に、温湯槽７と、冷水槽８と、温水槽９と、発芽台車１０を、前記レール２下方の床面に配置させる。また、ヒータを備える給湯機１１並びに消毒コントローラ１２を前記湯水槽７に付設させる。
【０００８】
さらに、図２、図３、図４に示す如く、ステンレス棒製の四角枠型の箱フレーム１３に合成樹脂製網１４を張設させた網製矩形箱によって浸漬カゴ１５を形成し、両端部にステンレス棒製の三角形の吊下げフック１６を設ける２本の布ベルト１７の中間を前記カゴ１５の対向する側面に縫付け固定させると共に、前記カゴ１５上面の長辺側の両側縁に設ける２本のファスナー１８と、前記カゴ１５上面の短辺側の一側縁を織布ファスナー１９によって側面に？離自在に係止させ、前記カゴ１５上面に開閉自在な上面蓋２０を設ける。また、前記と同様に、前記カゴ１５下面の長辺側の両側縁に設ける２本のファスナー２１と、前記カゴ１５下面の短辺側の一側縁を織布ファスナー２２によって側面に？離自在に係止させ、前記カゴ１５下面に開閉自在な下面蓋２３を設ける。
【０００９】
そして、種籾を塩水選して約１５パーセントの水分に乾かした後、従来の籾袋２袋分（約４０キログラム）の種籾を上面蓋２０の開閉によって前記カゴ１５内部に投入させ、前記カゴ１５の容積の約７０パーセントの種籾を収納させると共に、吊下げフック１６とロープ２４によってクレーンフック６に前記カゴ１５を吊下げ、図３のように、温湯槽７内部に前記カゴ１５を宙吊り状態に支持させ、一定温度（約６０度）の湯水を給湯機１１から送給し乍ら温湯ポンプ２５によって温湯槽７に循環させるもので、温湯槽７に湯水を送給させる給湯管２６に複数の給湯ノズル２７を設け、前記カゴ１５の側面に各ノズル２７を対設させ、前記カゴ１５内部の種籾に均等に湯水が当って均一に消毒されるように各ノズル２７の水量及び水圧を設定し、例えば下方の種籾に対して水量を多くしかつ水圧を高くして水流を強くし、略一定時間（約１０分間）で全体の種籾を均一に消毒するように構成している。
【００１０】
また、前記カゴ１５に入れる種籾の量を従来の籾袋２袋分（約４０キログラム）に限定することにより、前記カゴ１５の残空間部が湯水流による種籾の移動スペースとなり、偏りがなく均一に湯水流が種籾に当って均一に消毒を行え、種籾の入れすぎによる消毒不良を防止すると共に、図４のように、フォークリフトのフォーク２８によって前記カゴ１５を吊下げ、下面蓋２３を開放することにより、前記カゴ１５内部の種籾（発芽済みのもの）を取出し、播種機（図示省略）を用いて育苗箱に播種し、育苗するように構成している。
【００１１】
上記から明らかなように、種籾コンテナとして利用可能な堅型の浸漬カゴ１５に種籾を入れ、温湯槽７に前記浸漬カゴ１５を入れて種籾を温湯消毒するもので、種籾コンテナとして利用する浸漬カゴ１５を用いて種籾の温湯消毒を行い、従来の種籾コンテナまたは籾袋が不要になり、しかも従来の籾袋単位に比べて多量の種籾を浸漬カゴ１５に入れて温湯消毒作業を行い、消毒処理の省力化並びに連続作業による作業能率の向上などを図ると共に、浸漬カゴ１５を網製矩形箱によって形成し、種籾を投入及び取出すための開閉部である上面蓋２０及び下面蓋２３と、吊下げるフック１６とを、前記浸漬カゴ１５に設けるもので、温湯消毒のときに湯水流によって種籾が移動可能なスペースを確保し、種籾の均一消毒または１回当りに消毒可能な種籾の増量または温湯消毒の湯水温度の維持などを行う。
【００１２】
さらに、図５に示す如く、走行モータ３を正逆転させてクレーン４を往復走行させる手動操作用走行スイッチ２９と、昇降モータ５を正逆転させてクレーンフック６を昇降させる手動操作用昇降スイッチ３０と、種籾を自動的に温湯消毒する自動制御動作を開始させるスタートスイッチ３１と、温湯槽７の湯水温度を検出する温度センサ３２とを、消毒コントローラ１２に接続させると共に、走行モータ３と、昇降モータ５と、温湯ポンプ２５と、給湯機１１と、前記冷水槽８に入れる冷水を循環させる冷水ポンプ３３とに、消毒コントローラ１２を接続させる。
【００１３】
そして、図６のフローチャートに示す如く、塩水選を行いかつ乾燥させた種籾を入れた浸漬カゴ１５をクレーンフック６に係止させ、走行及び昇降スイッチ２９、３０操作によってクレーン４を移動させて浸漬カゴ１５を温湯槽７の上方に移動させ、スタートスイッチ３１をオンにすると、温湯槽７の湯水温度が約６０度の適正湯温のとき、前記カゴ１５が温湯槽７内部に自動的に下降し、かつ温湯ポンプ２５が作動して種籾を温湯消毒する動作が行われる。また、一定時間（約１０分間、任意に設定可能）が経過すると、走行及び昇降モータ３、５の自動制御により、温湯槽７の前記カゴ１５を冷水槽８に自動的に移動させ、冷水ポンプ３３を作動させて種籾を急速冷却させ、種籾の冷却に必要な一定時間（任意に設定可能）が経過することにより、冷水槽８から温水槽９に浸漬カゴ１５を自動的に移動させる終了動作が行われる。また、温水槽９で浸種・催芽された種籾は浸漬カゴ１５に入れた状態でクレーン４を用いて発芽台車１０に積込み、発芽室に移動させて種籾を発芽させた後、播種機に入れて育苗箱に播種し、育苗する。なお、冷水槽８で冷却した種籾を乾燥させた後で温水槽９に入れて催芽してもよい。
【００１４】
さらに、図７及び図８に示す如く、浸漬カゴ１５の下面蓋２３を両方開き構造とし、１本のレバー３４によって下面蓋２３の開閉を行うことにより、例えば催芽のための浸種用の種籾コンテナ３５を用いる場合、コンテナ３５の上方に浸漬カゴ１５を移動させ、前記レバー３４操作によって下面蓋２３を開放することによって内部の種籾をコンテナ３５にうつし替えることができる。
【００１５】
さらに、図９及び図１０に示す如く、パイプ枠製の浸漬フレーム３６に浸漬カゴ１５を横倒し姿勢で載置させ、クレーンフック６に浸漬フレーム３６を吊下げ、温湯槽７に前記フレーム３６を宙吊り支持させ、前記カゴ１５の下面側に向けてノズル２７から湯水を供給し、温湯消毒をすることも行える。
【００１６】
さらに、図１１に示す如く、図３の横向きノズル２７に代え、浸漬カゴ１５の底側のノズル２７を斜上向きとし、ノズル２７から斜上向きに湯水を噴出させ、浸漬カゴ１５内部の種籾を湯水流によって撹拌し乍ら書毒させることも行える。
【００１７】
【発明の効果】
以上実施例から明らかなように本発明は、請求項１の如く、種籾コンテナとして利用可能な堅型の浸漬カゴ１５に種籾を入れ、温湯槽７に前記浸漬カゴ１５を入れて種籾を温湯消毒するもので、種籾コンテナとして利用する浸漬カゴ１５を用いて種籾の温湯消毒を行うことにより、従来の種籾コンテナまたは籾袋が不要になり、しかも従来の籾袋単位に比べて多量の種籾を浸漬カゴ１５に入れて温湯消毒作業を行うことができ、消毒処理の省力化並びに連続作業による作業能率の向上などを容易に図ることができるものである。
【００１８】
また、請求項２の如く、浸漬カゴ１５を網製矩形箱によって形成し、種籾を投入及び取出すための開閉部２０、２３と、吊下げるフック１６とを、前記浸漬カゴ１５に設けるもので、温湯消毒のときに湯水流によって種籾が移動可能なスペースを容易に確保でき、種籾の均一消毒または１回当りに消毒可能な種籾の増量または温湯消毒の湯水温度の維持などを容易に行うことができ、消毒処理の省力化並びに連続作業による作業能率の向上などを容易に図り得ることができるものである。
【図面の簡単な説明】
【図１】全体の作業説明図。
【図２】浸漬カゴの斜視図。
【図３】温湯消毒の説明図。
【図４】浸漬カゴの説明図。
【図５】温湯消毒の制御回路図。
【図６】同フローチャート。
【図７】浸漬カゴの変形例を示す説明図。
【図８】同説明図。
【図９】温湯消毒の変形例を示す説明図。
【図１０】図９の平面図。
【図１１】図３の変形例を示す説明図。
【符号の説明】
（７）    植付部
（１５）  浸漬カゴ
（２０）  上面蓋（開閉部）
（２３）  下面蓋（開閉部）
【図１】
2005052023.tif 000003
【図２】
2005052023.tif 000004
【図３】
2005052023.tif 000005
【図４】
2005052023.tif 000006
【図５】
2005052023.tif 000007
【図６】
2005052023.tif 000008
【図７】
2005052023.tif 000009
【図８】
2005052023.tif 000010
【図９】
2005052023.tif 000011
【図１０】
2005052023.tif 000012
【図１１】
2005052023.tif 000013